(57)【要約】【課題】ユーザがカーソルに関する情報を瞬時に且つ直感的に把握することができ、これによりユーザの利便性を高めることができる波形測定装置を提供する。【解決手段】波形測定装置１は、入力端子Ｔ１を介して入力される被測定信号をディジタル信号の波形データに変換するＡ／Ｄ変換部１１、変換された波形データを記憶する波形データメモリ１２、及び波形データメモリ１２に記憶された波形データを表示部２０に表示させる制御を行う制御部１３を備える。制御部１３は、表示部２０に表示された波形データに付随して、一端が第１カーソルとして機能し他端が第２カーソルとして機能する矢印カーソルと、矢印カーソルに関連する関連情報を矢印カーソルとの対応付けを行った状態で表示するカーソル表示部２３を備える。【選択図】図２
2010002404.tif 000002
【特許請求の範囲】
【請求項１】
少なくとも１つの波形を表示するとともに、カーソル及び当該カーソルに関連する関連情報を前記波形に付随して表示する波形表示装置において、
一端が第１カーソルとして機能し他端が前記第１カーソルとは異なる第２カーソルとして機能する線分カーソルを表示するとともに、当該線分カーソルに関連する関連情報を前記線分カーソルとの対応付けを行った状態で表示するカーソル表示部を備えることを特徴とする波形表示装置。
【請求項２】
前記カーソル表示部は、ユーザの指示に応じて前記線分カーソルを伸縮させ、且つ前記線分カーソルの伸縮に合わせて前記関連情報を更新することを特徴とする請求項１記載の波形表示装置。
【請求項３】
前記カーソル表示部は、前記線分カーソルの伸縮方向を、互いに交差する二方向のうちの少なくとも一方向に規制することを特徴とする請求項２記載の波形表示装置。
【請求項４】
前記カーソル表示部は、前記関連情報を前記線分カーソルの近傍に表示することを特徴とする請求項１から請求項３の何れか一項に記載の波形表示装置。
【請求項５】
前記カーソル表示部は、前記関連情報を前記波形とは重ならない位置に表示するとともに、前記線分カーソルから前記関連情報の表示位置に延びる引き出し線を表示することを特徴とする請求項１から請求項３の何れか一項に記載の波形表示装置。
【請求項６】
前記線分カーソル及び前記関連情報が前記波形に付随する状態の画像データを外部に出力する出力部を備えることを特徴とする請求項１から請求項５の何れか一項に記載の波形表示装置。
【請求項７】
前記関連情報は、前記カーソルに関するカーソル情報であることを特徴とする請求項１から請求項６の何れか一項に記載の波形表示装置。
【請求項８】
前記波形の解析を行う波形解析部を備えており、
前記関連情報は、前記線分カーソルで規定される範囲内における前記波形解析部の解析結果を示す解析結果情報である
ことを特徴とする請求項１から請求項６の何れか一項に記載の波形表示装置。
【請求項９】
前記カーソル表示部は、前記波形解析部の解析結果である前記関連情報をグラフ表示することを特徴とする請求項８記載の波形表示装置。
【請求項１０】
前記カーソル表示部は、前記波形が複数表示される場合には、前記波形毎に前記線分カーソル及び前記関連情報を表示することを特徴とする請求項１から請求項９の何れか一項に記載の波形表示装置。
【請求項１１】
前記カーソル表示部は、１つの前記波形に対して前記線分カーソル及び前記関連情報を複数表示可能であることを特徴とする請求項１から請求項１０の何れか一項に記載の波形表示装置。
【発明の詳細な説明】
【技術分野】
【０００１】
本発明は、電圧波形、電流波形、その他の各種波形を表示する波形表示装置に関する。
【背景技術】
【０００２】
オシロスコープ、スペクトラムアナライザ等の各種波形測定装置はＣＲＴ（Cathode Ray Tube）や液晶表示装置等の表示装置を備えており、測定された電圧波形、電流波形、スペクトル波形等の各種波形は表示装置に表示されるのが一般的である。また、近年では、測定結果（波形データ）の外部出力が可能な波形測定装置も実用化されている。かかる波形測定装置においては、測定により得られた波形データをパーソナルコンピュータ等のコンピュータに取り込んで波形解析ツールを用いて表示させることによりコンピュータ上での波形解析が可能である。
【０００３】
一般的に、上記の各種波形測定装置やコンピュータで用いられる波形解析ツールは、ユーザの操作によって移動可能なカーソルを波形に重ねて表示するとともに、カーソルの表示位置に応じた物理量（例えば、電圧や時間）を表示するカーソル表示機能を備える。このカーソル表示機能を用いることで、波形状態の把握や定量的な客観評価が容易になり、波形解析の利便性を向上させることができる。カーソル表示機能によって表示されるカーソルとしては、表示画面の縦方向又は横方向に延びる線状のカーソル、表示画面の一点を指し示すマーカーカーソル等がある。図１１は、従来のカーソルの表示例を示す図であって、（ａ）は線状カーソルの表示例を示す図であり、（ｂ）はマーカーカーソルの表示例を示す図である。
【０００４】
図１１（ａ）に示す例では、表示画面Ｗ１００内に、電圧波形ＷＦ１００、２つの縦カーソルＣ１０１，Ｃ１０２及び２つの横カーソルＣ１１１，Ｃ１１２、並びにカーソル情報ＩＦ１０１，ＩＦ１０２が表示されている。縦カーソルＣ１０１，Ｃ１０２は、ユーザの操作（例えば、波形測定装置に設けられた所定キーの操作）によって表示画面Ｗ１００の横方向に平行移動する。これら縦カーソルＣ１０１，Ｃ１０２に関するカーソル情報ＩＦ１０１として、表示画面Ｗ１００の横方向における縦カーソルＣ１０１，Ｃ１０２の位置に応じた時間（Ｔ１，Ｔ２）、縦カーソルＣ１０１，Ｃ１０２の間隔に応じた時間間隔（ΔＴ）等が表示される。
【０００５】
また、横カーソルＣ１１１，Ｃ１１２は、ユーザの操作によって表示画面Ｗ１００の縦方向に平行移動する。これら横カーソルＣ１１１，Ｃ１１２に関するカーソル情報ＩＦ１０２として、表示画面Ｗ１００の縦方向における横カーソルＣ１１１，Ｃ１１２の位置に応じた電圧値（Ｖ１，Ｖ２）、横カーソルＣ１１１，Ｃ１１２の間隔に応じた電圧差（ΔＶ）が表示される。ユーザの操作によって縦カーソルＣ１０１，Ｃ１０２が横方向に平行移動するとその位置に応じてカーソル情報ＩＦ１０１の内容が連動して変化し、ユーザの横カーソルＣ１１１，Ｃ１１２が縦方向に平行移動するとその位置に応じてカーソル情報ＩＦ１０２の内容が連動して変化する。
【０００６】
図１１（ｂ）に示す例では、表示画面Ｗ１００内に、電圧波形ＷＦ２００、４つのマーカーカーソルＣ２０１〜Ｃ２０４、及びカーソル情報ＩＦ２０１，ＩＦ２０２が表示されている。マーカーカーソルＣ２０１〜Ｃ２０４は、ユーザの操作によって表示画面Ｗ１００内において縦方向及び横方向に移動する。これらマーカーカーソルＣ２０１〜Ｃ２０４に関するカーソル情報ＩＦ２０１として、表示画面Ｗ１００の横方向におけるマーカーカーソルＣ２０１〜Ｃ２０４の各々の位置に応じた時間（Ｔ１〜Ｔ４）が表示され、カーソル情報ＩＦ２０２として、表示画面Ｗ１００の縦方向におけるマーカーカーソルＣ２０２〜Ｃ２０４の位置に応じた電圧値（Ｖ２〜Ｖ４）、及びマーカーカーソルＣ２０１とマーカーカーソルＣ２０２〜Ｃ２０４との間隔に応じた電圧差（Ｖ１−Ｖ２，Ｖ１−Ｖ３，Ｖ１−Ｖ４）が表示される。ユーザの操作によってマーカーカーソルＣ２０１〜Ｃ２０４が移動すると、その位置に応じてカーソル情報ＩＦ２０１、ＩＦ２０２の内容が連動して変化する。
【０００７】
また、近年の波形測定装置や波形解析ツールは高機能化が図られており、波形データに対する種々の解析を行う解析機能を備えるものが多くなっている。例えば、図１１（ａ）に示す縦カーソルＣ１０１，Ｃ１０２で規定される範囲内における電圧波形ＷＦ１００の最大ピーク値と最小ピーク値との差、最大値、最小値、及び周波数等を解析したり、電圧波形が論理波形である場合には、その論理レベル（「Ｈ（ハイ）」レベル及び「Ｌ（ロー）」レベル）の電圧値等を解析する機能を備える。かかる機能により得られた解析結果は、例えば波形データの表示領域の外に設けられた別の表示領域に一括して表示され、ユーザによる電圧波形の定量的な評価等のために用いられる。
【０００８】
尚、従来のカーソル表示機能の詳細については、例えば以下の特許文献１を参照されたい。
【特許文献１】特開２００１−３０５１６０号公報
【発明の開示】
【発明が解決しようとする課題】
【０００９】
ところで、前述した波形測定装置やコンピュータで用いられる波形解析ツールは１つのみならず複数の波形の同時表示が可能であり、複数の波形を表示した場合であってもカーソル表示機能によりカーソル表示が可能である。しかしながら、従来のカーソル表示機能によって図１１（ａ）に示す直線状のカーソル（縦カーソルＣ１０１，Ｃ１０２及び横カーソルＣ１１１，１１２）の表示を行うと複数の波形に跨ってカーソルが表示されることになるため、各々のカーソルがどの波形に着目したものであるのかが分かり難いという問題があった。
【００１０】
また、図１１に示す通り、従来のカーソル表示機能は、表示される各々のカーソル毎にカーソル情報を表示しているが、一度に多数のカーソルを表示すると、カーソル表示が煩雑になるという問題があった。また、図１１に示す直線状のカーソル及びマーカーカーソルは、共にある位置における測定値の表示を目的としたカーソルであるため、２点間における時間間隔や電圧差等を測定するには視認性が良くないという問題があった。
【００１１】
更に、図１１に示す通り、従来のカーソル表示機能では、カーソルとカーソル情報とが離れた位置に表示される。このため、ユーザがあるカーソルのカーソル情報を確認するときに視線を移動させる必要があるとともに、カーソルとカーソル情報との対応づけを確認する必要があるため、カーソル情報を瞬時に且つ直感的に把握することができないという問題があった。以上の諸問題は、カーソルで規定される範囲内における波形データの解析結果を表示する場合にも生ずる問題である。
【００１２】
本発明は上記事情に鑑みてなされたものであり、ユーザがカーソルに関する情報を瞬時に且つ直感的に把握することができ、これによりユーザの利便性を高めることができる波形測定装置を提供することを目的とする。
【課題を解決するための手段】
【００１３】
上記課題を解決するために、本発明の波形表示装置は、少なくとも１つの波形（ＷＦ、ＷＦ１〜ＷＦ５、ＷＦ１１、ＷＦ１２、ＷＦ２１〜ＷＦ２３）を表示するとともに、カーソル及び当該カーソルに関連する関連情報を前記波形に付随して表示する波形表示装置において、一端が第１カーソルとして機能し他端が前記第１カーソルとは異なる第２カーソルとして機能する線分カーソル（Ｃ、Ｃ１〜Ｃ６、Ｃ１１、Ｃ１２、Ｃ３０〜Ｃ５０）を表示するとともに、当該線分カーソルに関連する関連情報（ＩＦ、ＩＦ１〜ＩＦ６、ＩＦ１１、ＩＦ１２、ＩＦ３０〜ＩＦ５０、ＩＦ６２、ＩＦ６３）を前記線分カーソルとの対応付けを行った状態で表示するカーソル表示部（２３）を備えることを特徴としている。
この発明によると、一端が第１カーソルとして機能し他端が第２カーソルとして機能する線分カーソルが表示されるとともに、線分カーソルの長さに応じた関連情報が線分カーソルとの対応付けられた状態で表示される。
また、本発明の波形表示装置は、前記カーソル表示部が、ユーザの指示に応じて前記線分カーソルを伸縮させ、且つ前記線分カーソルの伸縮に合わせて前記関連情報を更新することを特徴としている。
また、本発明の波形表示装置は、前記カーソル表示部が、前記線分カーソルの伸縮方向を、互いに交差する二方向のうちの少なくとも一方向に規制することを特徴としている。
また、本発明の波形表示装置は、前記カーソル表示部が、前記関連情報を前記線分カーソルの近傍に表示することを特徴としている。
また、本発明の波形表示装置は、前記カーソル表示部が、前記関連情報を前記波形とは重ならない位置に表示するとともに、前記線分カーソルから前記関連情報の表示位置に延びる引き出し線（Ｌ）を表示することを特徴としている。
また、本発明の波形表示装置は、前記線分カーソル及び前記関連情報が前記波形に付随する状態の画像データを外部に出力する出力部（１８）を備えることを特徴としている。
また、本発明の波形表示装置は、前記関連情報が、前記カーソルに関するカーソル情報であることを特徴としている。
また、本発明の波形表示装置は、前記波形の解析を行う波形解析部（２１）を備えており、前記関連情報は、前記線分カーソルで規定される範囲内における前記波形解析部の解析結果を示す情報であることを特徴としている。
ここで、本発明の波形表示装置は、前記カーソル表示部が、前記波形解析部の解析結果である前記関連情報をグラフ表示することを特徴としている。
また、本発明の波形表示装置は、前記カーソル表示部が、前記波形が複数表示される場合には、前記波形毎に前記線分カーソル及び前記関連情報を表示することを特徴としている。
また、本発明の波形表示装置は、前記カーソル表示部が、１つの前記波形に対して前記線分カーソル及び前記関連情報を複数表示可能であることを特徴としている。
【発明の効果】
【００１４】
本発明によれば、一端が第１カーソルとして機能し他端が第２カーソルとして機能する線分カーソルを表示するとともに、線分カーソルに関連する関連情報を線分カーソルとの対応付けを行った状態で表示しているため、ユーザがカーソルに関連する関連情報を瞬時に且つ直感的に把握することができ、これによりユーザの利便性を高めることができるという効果がある。
【発明を実施するための最良の形態】
【００１５】
以下、図面を参照して本発明の一実施形態による波形表示装置について詳細に説明する。図１は、本発明の一実施形態による波形表示装置を備える波形測定装置の正面図である。尚、本実施形態では、波形表示装置が波形測定装置の一種であるオシロスコープに設けられた態様について説明する。図１に示す通り、波形測定装置１は、その正面に入力端子部２、複数の操作キー３、及びディスプレイ４を備える。
【００１６】
入力端子部２は複数の入力端子２ａ〜２ｄを備えており、各々の入力端子２ａ〜２ｄには必要に応じてプローブ（図示省略）が接続される。つまり、図１に示す波形測定装置１は、４種類の波形（４チャネル）の同時測定が可能である。操作キー３は、ユーザの指示を波形測定装置１に入力するためのものであり、ユーザによって操作される複数のプッシュボタン、回転ノブ等を備えている。ディスプレイ４は、例えば液晶表示装置又はＣＲＴ（Cathode Ray Tube）であり、測定された波形データが表示されるとともに、矢印カーソル及び矢印カーソルに関連する関連情報（何れも詳細は後述する）が表示される。
【００１７】
図２は、本発明の一実施形態による波形表示装置を備える波形測定装置の要部構成を示すブロック図である。図２に示す通り、波形測定装置１は、Ａ／Ｄ変換部１１、波形データメモリ１２、制御部１３、ハードディスク１４、ＲＯＭ（Read Only Memory）１５、ＲＡＭ（Random Access Memory）１６、操作部１７、出力部１８、表示制御部１９、及び表示部２０を備える。
【００１８】
Ａ／Ｄ変換部１１は、入力端子Ｔ１（図１に示す入力端子部２に設けられた入力端子２ａ〜２ｄの何れか）から入力される信号に対して標本化及び量子化を行い、その信号をディジタル信号の波形データに変換する。尚、上述の通り、図１に示す波形測定装置１は４チャネルの同時測定が可能であるため、Ａ／Ｄ変換部１１は入力端子の数に応じた数だけ（４つ）設けられているが、図２においては図示の簡略化のために１つのみを図示している。
【００１９】
波形データメモリ１２は、Ａ／Ｄ変換部１１から出力される波形データを記憶するＲＡＭ等からなるメモリ（アクイジションメモリ）である。制御部１３は、波形測定装置１の動作を統括的に制御する。例えば、波形データメモリ１２に記憶された波形データの読み出し制御を行い、読み出した波形データの解析処理を行い、操作部１７を介して入力されるユーザの指示に応じて波形データ並びに矢印カーソル及び関連情報の表示制御等を行う。
【００２０】
具体的に、制御部１３は、波形解析部２１、波形表示部２２、及びカーソル表示部２３を備える。波形解析部２１は、波形データメモリ１２に記憶された波形データを読み出して波形解析を行い、ピーク値（最大ピーク値及び最小ピーク値）、最大ピーク値と最小ピーク値との差、最大値、最小値、及び周波数等を求める。また、波形データが論理波形に係るものである場合には、その論理レベル（「Ｈ」レベル及び「Ｌ」レベル）の電圧値等を求める。
【００２１】
波形表示部２２は、波形データメモリ１２に記憶された波形データを読み出し、その波形データを表示用のデータに加工した上で表示制御部１９に出力し、表示制御部１９に表示データを表示させる。ここで、波形表示部２２で行われる波形データの加工は、例えばユーザの操作部１７に対する操作に応じて、波形データの一部を表示部２０に表示させる拡大表示用の表示データへの加工、或いは波形データの全部を表示部２０に表示させる縮小表示用の表示データへの加工等である。
【００２２】
カーソル表示部２３は、矢印カーソル（線分カーソル）、矢印カーソルに関連する関連情報、その他のカーソルに関する各種情報の表示制御を行うとともに、ユーザの操作部１７に対する操作に応じてこれらのカーソルの表示を更新する制御を行う。ここで、矢印カーソルとは、表示部２０に表示される波形に付随して表示され、表示部２０における表示画面の縦方向又は横方向の異なる２点間を指し示す両端が矢印とされたカーソルである。この矢印カーソルは、その一端が表示部２０における表示画面の縦方向又は横方向の一点を指し示すカーソル（第１カーソル）として機能するとともに他端が他の点を指し示すカーソル（第２カーソル）として機能し、ユーザの操作による両端の移動に合わせてその移動方向に伸縮する線分のカーソルである。
【００２３】
また、関連情報とは、矢印カーソルに関するカーソル情報、又は矢印カーソルで規定される範囲内における波形解析部２１の解析結果を示す解析結果情報をいう。具体的に、カーソル情報とは、矢印カーソルによって指し示される２点間の物理量を示す情報であって、カーソル表示部２３によって矢印カーソルに対応付けられた状態で表示される情報である。例えば、表示部２０に電圧波形が表示されている場合において、表示部２０における表示画面の横方向に延びる矢印カーソルに対応付けられるカーソル情報は矢印カーソルの長さ及び表示画面の横方向のスケールに応じた時間間隔を示す情報であり、表示部２０における表示画面の縦方向に延びる矢印カーソルに対応付けられるカーソル情報は矢印カーソルの長さ及び表示画面の縦方向のスケールに応じた電圧差を示す情報である。このカーソル情報は、例えば数値で表示され、その内容が矢印カーソルの伸縮に連動して更新される。
【００２４】
図３は、矢印カーソル及びカーソル情報の表示例を示す図であって、（ａ）は縦カーソル及び横カーソルに加えて矢印カーソル及びカーソル情報を表示した表示例であり、（ｂ）は矢印カーソルとカーソル情報とを表示した表示例である。図３（ａ）に示す例では、表示部２０の表示画面Ｗ１（ディスプレイ４）内に、波形ＷＦ１、２つの縦カーソルＣ１１，Ｃ１２及び２つの横カーソルＣ２１，Ｃ２２、矢印カーソルＣ１、並びにカーソル情報ＩＦ１が表示されている。矢印カーソルＣ１は、表示画面Ｗ１の横方向に延びて縦カーソルＣ１１，Ｃ１２の間に表示されており、その両端がそれぞれ縦カーソルＣ１１，Ｃ１２の位置（表示画面Ｗ１の横方向における位置）に設定されている。
【００２５】
また、カーソル情報ＩＦ１は、縦カーソルＣ１１，Ｃ１２の間であって、矢印カーソルＣ１の近傍に表示されている。図３（ａ）に示す例では、カーソル情報ＩＦ１として「１９９０．００００ｕｓ」が表示されている。このカーソル情報ＩＦ１は、矢印カーソルＣ１の長さ（縦カーソルＣ１１，Ｃ１２の表示画面Ｗ１の横方向における間隔）が、１９９０．００００μｓｅｃに相当することを示している。
【００２６】
操作キー３のうちの所定のキーをユーザが操作することにより、カーソル表示部２３は、縦カーソルＣ１１，Ｃ１２を表示画面Ｗ１の横方向にユーザの操作量に応じた距離だけ平行移動させるとともに、縦カーソルＣ１１，Ｃ１２の移動に連動させて矢印カーソルＣ１の端部位置を変更して矢印カーソルＣ１を伸縮させる。また、カーソル表示部２３は、矢印カーソルＣ１の伸縮に合わせてカーソル情報ＩＦ１を更新する（カーソル情報ＩＦ１として示されている数値を矢印カーソルＣ１の長さに応じて変更する）。
【００２７】
これに対して、図３（ｂ）に示す例では、表示部２０の表示画面Ｗ１（ディスプレイ４）内に、波形ＷＦ１、矢印カーソルＣ１１，Ｃ１２、及びカーソル情報ＩＦ１１，ＩＦ１２が表示されている。矢印カーソルＣ１１は表示画面Ｗ１の横方向に延びており、その近傍にはカーソル情報ＩＦ１１が表示されている。また、矢印カーソルＣ１２は表示画面Ｗ１の縦方向に延びており、その近傍にはカーソル情報ＩＦ１２が表示されている。図３（ｂ）に示す例では、カーソル情報ＩＦ１１として「１９９０．００００ｕｓ」が表示されており、カーソル情報ＩＦ１２として「１８０．０ｍＶ」が表示されている。カーソル情報ＩＦ１１は矢印カーソルＣ１１の長さが１９９０．００００μｓｅｃに相当することを示し、カーソル情報ＩＦ１２は矢印カーソルＣ１２の長さが１８０．０ｍＶに相当することを示している。
【００２８】
尚、図３（ｂ）に示す例では、矢印カーソルＣ１１の長さ方向（表示画面Ｗ１の横方向）と交差する方向に延びる補助線ｈ１，ｈ２が矢印カーソルＣ１１の両端にそれぞれ表示されているとともに、矢印カーソルＣ１２の長さ方向（表示画面Ｗ１の縦方向）と交差する方向に延びる補助線ｈ３，ｈ４が矢印カーソルＣ１２の両端にそれぞ表示されている。これら補助線ｈ１〜ｈ４を表示することで、表示画面Ｗ１に表示された波形ＷＦ１に対する矢印カーソルＣ１１，Ｃ１２，Ｃ２１，Ｃ２２の両端の位置を容易且つ正確に把握することが可能になる。
【００２９】
図３（ｂ）に示す例において、操作キー３のうちの所定のキーをユーザが操作することにより、カーソル表示部２３は、矢印カーソルＣ１１の端部を表示画面Ｗ１の横方向にユーザの操作量に応じた距離だけ平行移動させて矢印カーソルＣ１１を伸縮させる。また、矢印カーソルＣ１２の端部を表示画面Ｗ１の縦方向にユーザの操作量に応じた距離だけ平行移動させて矢印カーソルＣ１２を伸縮させる。また、カーソル表示部２３は、矢印カーソルＣ１１，Ｃ１２の伸縮に合わせて、カーソル情報ＩＦ１２，ＩＦ１２をそれぞれ更新する（カーソル情報ＩＦ１１，ＩＦ１２として示されている数値を矢印カーソルＣ１１，Ｃ１２の長さに応じてそれぞれ変更する）。更に、カーソル表示部２３は、矢印カーソルＣ１１，Ｃ１２の端部位置の変更に合わせて、補助線ｈ１〜ｈ４の位置も変更する。
【００３０】
また、解析結果情報とは、具体的には、矢印カーソルによって規定される範囲内における波形解析部２１の解析結果を示す情報であって、カーソル表示部２３によって矢印カーソルに対応付けられた状態で表示される情報である。例えば、表示部２０に電圧波形が表示されている場合において、表示部２０における表示画面の横方向に延びる矢印カーソルに対応付けられる解析結果情報は、その矢印カーソルの両端部の各々を通って矢印カーソルと交差する２本の線分で挟まれる範囲に表示された電圧波形の最大ピーク値と最小ピーク値との差、最大値、最小値等を示す情報である。この解析結果情報も、カーソル情報と同様に例えば数値で表示され、その内容が矢印カーソルの伸縮に連動して更新される。
【００３１】
図４は、矢印カーソル及び解析結果情報の表示例を示す図である。図４に示す例では、表示部２０の表示画面Ｗ１（ディスプレイ４）内に２つの表示領域Ｒ１，Ｒ２が設けられており、これら表示領域Ｒ１，Ｒ２に波形ＷＦ１１，ＷＦ１２がそれぞれ表示されている。尚、表示領域Ｒ１に表示された波形ＷＦ１１は正弦波状のアナログ信号の波形であり、表示領域Ｒ２に表示された波形ＷＦ１２は二値をとるディジタル信号の波形である。
【００３２】
表示領域Ｒ１には、波形ＷＦ１１とともに、一対縦カーソルＣ３１，Ｃ３２、矢印カーソルＣ３０、及び解析結果情報ＩＦ３０が表示されている。矢印カーソルＣ３０は、表示画面Ｗ１の横方向に延びて縦カーソルＣ３１，Ｃ３２の間に表示されており、その両端がそれぞれ縦カーソルＣ３１，Ｃ３２の位置（表示画面Ｗ１の横方向における位置）に設定されている。また、解析結果情報ＩＦ３０は、縦カーソルＣ３１，Ｃ３２の間であって、矢印カーソルＣ３０の近傍に表示されている。
【００３３】
図４に示す例では、解析結果情報ＩＦ３０として「Ｍａｘ １０３０ｍＶ」，「Ｍｉｎ −１０３０ｍＶ」，「Ｐ−Ｐ ２０６０ｍＶ」が表示されている。この解析結果情報ＩＦ３０は、表示領域Ｒ１に表示された波形ＷＦ１１のうち、矢印カーソルＣ３０の両端に位置する縦カーソルＣ３１，Ｃ３２で挟まれる範囲に表示された部分における最大値が「１０３０ｍＶ」であり、最小値が「−１０３０ｍＶ」であって、最大ピーク値と最小ピーク値との差が「２０６０ｍＶ」であることを示している。
【００３４】
また、表示領域Ｒ２には、波形ＷＦ１２とともに、二対の縦カーソルＣ４１，Ｃ４２，Ｃ５１，Ｃ５２、矢印カーソルＣ４０，Ｃ５０、及び解析結果情報ＩＦ４０，ＩＦ５０が表示されている。矢印カーソルＣ４０は、表示画面Ｗ１の横方向に延びて縦カーソルＣ４１，Ｃ４２の間に表示されており、その両端がそれぞれ縦カーソルＣ４１，Ｃ４２の位置（表示画面Ｗ１の横方向における位置）に設定されている。また、解析結果情報ＩＦ４０は、縦カーソルＣ４１，Ｃ４２の間であって、矢印カーソル４０の近傍に表示されている。
【００３５】
図４に示す例では、解析結果情報ＩＦ４０として「Ｐｅｒｉｏｄ ３．９９９８ｍｓ」，「Ｃｏｕｎｔ ３」が表示されている。この解析結果情報ＩＦ４０は、表示領域Ｒ２に表示された波形ＷＦ１２のうち、矢印カーソルＣ４０の両端に位置する縦カーソルＣ４１，Ｃ４２で挟まれる範囲に表示された部分には、「３」周期分（端数切り捨て）の波形が含まれており、その１周期が「３．９９９８ｍｓ」であることを示している。
【００３６】
同様に、矢印カーソルＣ５０は、表示画面Ｗ１の横方向に延びて縦カーソルＣ５１，Ｃ５２の間に表示されており、その両端がそれぞれ縦カーソルＣ５１，Ｃ５２の位置（表示画面Ｗ１の横方向における位置）に設定されている。また、解析結果情報ＩＦ５０は、縦カーソルＣ５１，Ｃ５２の間であって、矢印カーソル４３０の近傍に表示されている。図４に示す例では、解析結果情報ＩＦ５０として「Ｈｉｇｈ １０３０ｍＶ」，「Ｌｏｗ −１０３０ｍＶ」，「Ｃｏｕｎｔ ２」が表示されている。この解析結果情報ＩＦ５０は、表示領域Ｒ２に表示された波形ＷＦ１２のうち、矢印カーソルＣ５０の両端に位置する縦カーソル５４１，Ｃ５２で挟まれる範囲に表示された部分には、「２」周期分（端数切り捨て）の波形が含まれており、波形ＷＦ１２の「Ｈ」レベルの電圧値が「１０３０ｍＶ」であり、「Ｌ」レベルの電圧値が「−１０３０ｍＶ」であることを示している。
【００３７】
以上の通り、本実施形態では、表示領域Ｒ１に表示された波形ＷＦ１１及び表示領域Ｒ２に表示された波形ＷＦ１２毎に矢印カーソル及び関連情報（解析結果情報）を表示することが可能である。また、１つの波形ＷＦ１２に対して複数の矢印カーソルＣ４０，Ｃ５０及び関連情報（解析結果情報ＩＦ４０，ＩＦ５０）を表示することもできる。尚、波形ＷＦ１１に対して複数の矢印カーソル及び関連情報を表示することも勿論可能である。
【００３８】
更に、表示領域Ｒ１（表示領域Ｒ２でも良い）に複数チャネルの波形を表示し、それぞれの波形に対して矢印カーソル及び関連情報を表示することもできる。例えば、波形ＷＦ１１と波形ＷＦ１２とを表示領域Ｒ１に重ねて表示し、矢印カーソルＣ３０，Ｃ４０，Ｃ５０を表示領域Ｒ１に表示する。矢印カーソルＣ３０と波形ＷＦ１１との関連付け、及び矢印カーソルＣ４０，Ｃ５０と波形ＷＦ１２との関連付けは、波形と関連情報の色とを同じにしたり、関連情報にチャネル名を付記したりする。
【００３９】
操作キー３のうちの所定のキーをユーザが操作することにより、カーソル表示部２３は、縦カーソルＣ３１，Ｃ３２，Ｃ４１，Ｃ４２，Ｃ５１，Ｃ５２を表示画面Ｗ１の横方向にユーザの操作量に応じた距離だけ平行移動させる。また、縦カーソルＣ３１，Ｃ３２、縦カーソルＣ４１，Ｃ４２、縦カーソルＣ５１，Ｃ５２の移動に連動させて、矢印カーソルＣ３０，Ｃ４０，Ｃ５０の端部位置をそれぞれ変更して伸縮させる。更に、波形解析部２１は矢印カーソルＣ３０，Ｃ４０，Ｃ５０の伸縮に合わせて解析を行い、カーソル表示部２３は波形解析部２１で解析が行われる度に解析結果情報ＩＦ３０，ＩＦ４０，ＩＦ５０をそれぞれ更新する。
【００４０】
図２に戻り、ハードディスク１４は、制御部１３の波形解析部２１の解析結果、その他の各種データを記録する。ＲＯＭ１５は、制御部１３で用いられる各種プログラムを記憶する。例えば、制御部１３がＣＰＵ（中央処理装置）である場合には、図２中の波形解析部２１、波形表示部２２、及びカーソル表示部２３を実現するためのプログラムを記憶する。ＲＡＭ１６は、制御部１３で行われる処理で用いられる各種データを一時的に記憶する。
【００４１】
操作部１７は、図１に示す操作キー３を備えており、ユーザの指示を制御部１３に出力する。また、波形表示装置１がＵＳＢ（Universal Serial Bus）端子等の外部機器接続端子を備える場合には、操作部１７は、外部機器接続端子に接続されたマウスのユーザによる操作内容を制御部１３に出力する。出力部１８は、表示部２０に表示される画像データを出力する。具体的には、例えば波形表示部２２で加工された波形データに対して矢印カーソル及び関連情報（カーソル情報や解析結果情報）が付随した状態の画像データを出力する。尚、表示部２０に波形データのみが表示されている場合には、その波形データのみを画像データとして表示することも可能である。
【００４２】
表示制御部１９は、制御部１３の制御の下で、表示部２０に表示する表示内容の制御を行う。例えば、制御部１３から波形データが出力された場合には、その波形データを表示部２０に表示する。また、波形データに加えて矢印カーソルや関連情報が出力された場合には、波形データに付随して矢印カーソルや関連情報を表示する。表示部２０は、図１に示すディスプレイ４を備えており、測定した波形データ等の各種データを表示する。
【００４３】
次に、波形測定装置１の動作について説明する。図５は、波形測定装置１の矢印カーソル及びカーソル情報の表示に係る動作を示すフローチャートである。尚、前述した通り、矢印カーソルには関連情報としてカーソル情報又は解析結果情報が対応付けられるが、以下では矢印カーソルにカーソル情報が対応付けられる場合について詳細に説明する。
【００４４】
波形測定装置１を用いた被測定信号の測定に先だって、ユーザは波形測定装置１の電源を投入して操作キー３（図１参照）を操作して各種初期設定を行う。例えば、表示部２０における表示画面Ｗ１の横方向及び縦方向のスケール、オフセット等の設定、カーソルの表示・非表示の設定等の表示部２０に表示させる表示内容の設定等の各種設定を行う。尚、ここでは、図３（ａ）に示す縦カーソルＣ１１，１２と表示画面Ｗ１の横方向に延びる矢印カーソルＣ１を表示させる設定（横矢印カーソル表示モードの設定）が行われたものとする。ユーザが操作キー３を操作して入力した設定内容は操作部１７から制御部１３に入力され、その設定内容に応じた初期処理が行われる。
【００４５】
初期設定が完了し、ユーザが波形測定装置１に設けられた入力端子部２の入力端子２ａ〜２ｅの少なくとも１つに接続されたプローブの先端を被測定部に電気的に接続させることにより波形データの取り込みが開始される。プローブを介して図２に示す入力端Ｔ１から入力された信号は、Ａ／Ｄ変換部１１で標本化及び量子化が行われて二値化され、ディジタル信号である波形データに変換される。Ａ／Ｄ変換部１１から出力される波形データは波形データメモリ１２に記憶される。
【００４６】
波形データメモリ１２に記憶された波形データは、制御部１３によって順次読み出され、波形表示部２２によって表示用のデータに加工された上で表示制御部１９に出力され、表示制御部１９によって表示部２０に表示される。以上の処理により、被測定信号の波形を示す波形がディスプレイ４に表示される。ここでは、図３（ａ）に示す波形ＷＦ１が表示されるものとする。また、前述した初期設定に基づいて、波形ＷＦ１に付随して図３（ａ）に示す縦カーソルＣ１１，Ｃ１２が表示される。
【００４７】
ここで、ユーザが操作キー３を操作して、波形測定装置１に対して矢印カーソルを表示すべき旨の指示を行うと図５に示す処理が開始される。処理が開始されると、まずカーソル表示部２３によって対象チャネルについての表示画面Ｗ１の横方向の解像度（HResolution：以下、横解像度という）と横方向のオフセット（HOffset：以下、横オフセットという）とが取得される（ステップＳ１１）。ここで、横解像度とは、波形データの番号（サンプル番号）を物理値（時間）に変換する際の倍率（サンプリング周期）を示すものである。次に、ユーザによってなされた指示が矢印カーソルを新規に作成する旨の指示であるか否かがカーソル表示部２３によって判断される（ステップＳ１２）。
【００４８】
矢印カーソルの新規作成であると判断された場合（ステップＳ１２の判断結果が「ＹＥＳ」の場合）には、現在の縦カーソルＣ１１，Ｃ１２の横方向の位置を示す情報がカーソル表示部２３から波形解析部２１に出力され、それら縦カーソルＣ１１，Ｃ１２で規定される範囲内における波形データが波形データメモリ１２から読み出され、読み出された波形データ（波形ＷＦ１）の最大ピーク値と最小ピークとが検出される。この検出結果は、波形解析部２１からカーソル表示部２３に出力され、表示画面Ｗ１内における矢印カーソルの縦方向の表示位置（以下、縦表示位置Ｙという）が決定される（ステップＳ１３）。例えば、矢印カーソルが最大ピーク値及び最小ピーク値で規定される範囲外に表示されるように、矢印カーソルの縦表示位置Ｙが決定される。
【００４９】
次に、カーソル表示部２３によって、縦カーソルＣ１１，Ｃ１２の横方向の位置を示す情報から矢印カーソルの両端部の位置（以下、端部位置Ｘ１，Ｘ２という）が決定される（ステップＳ１４）。これにより、図３（ａ）に示す通り、矢印カーソルＣ１の両端の位置が、表示画面Ｗ１の横方向における縦カーソルＣ１１，Ｃ１２の位置にそれぞれ設定される。次いで、ステップＳ１４で決定された矢印カーソルの端部位置Ｘ１，Ｘ２とステップＳ１１で取得された横解像度及び横オフセットとを用いてカーソル表示部２３により矢印カーソルの長さ（カーソル情報）が算出される（ステップＳ１５）。
【００５０】
以上の処理が終了すると、カーソル表示部２３の制御の下で、例えば図３（ａ）に示す通り、縦カーソルＣ１１，Ｃ１２の間であって波形ＷＦ１の最大ピーク値及び最小ピーク値で規定される範囲外に、矢印カーソルＣ１とカーソル情報ＩＦ１が表示される（ステップＳ１６）。このとき、カーソル情報ＩＦ１は矢印カーソルＣ１の近傍に表示され、これによりカーソル情報ＩＦ１が矢印カーソルＣ１に対応付けられた状態で表示される。
【００５１】
矢印カーソル及びカーソル情報が表示されると、カーソル表示部２３により、ユーザ操作によって縦カーソルの位置が変更されたか否かが判断される（ステップＳ１７）。例えば、ユーザが縦カーソルＣ１１，Ｃ１２の何れか一方を特定して回転ノブを回転させると縦カーソルの位置が変更される。縦カーソルの位置変更があったと判断された場合（判断結果が「ＹＥＳ」の場合）には、ステップＳ１４に戻り、変更後における縦カーソルＣ１１，Ｃ１２の横方向の位置を示す情報から矢印カーソルの端部位置Ｘ１，Ｘ２が新たに決定されるとともに、ステップＳ１５で矢印カーソルの長さが新たに算出され、新たな矢印カーソル及びカーソル情報が表示される（ステップＳ１６）。
【００５２】
一方、ステップＳ１７において、縦カーソルの位置変更が無かったと判断された場合（判断結果が「ＮＯ」の場合）には、カーソル表示部２３により、ユーザ操作によって矢印カーソルの縦表示位置Ｙが変更されたか否かが判断される（ステップＳ１８）。矢印カーソルの縦表示位置Ｙが変更されたと判断された場合（判断結果が「ＹＥＳ」の場合）には、カーソル表示部２３によって変更後の縦表示位置Ｙが取得され（ステップＳ１９）、変更後された縦表示位置Ｙに矢印カーソル及びカーソル情報が表示される（ステップＳ１６）。これに対し、ステップＳ１８において矢印カーソルの縦表示位置Ｙの変更が無かったと判断された場合（判断結果が「ＮＯ」の場合）には、矢印カーソルの端部位置Ｘ１，Ｘ２及び縦表示位置Ｙがカーソル表示部２３によって保持され（ステップＳ２０）、一連の処理は終了して横矢印カーソル表示モードが解除される。
【００５３】
また、ユーザが改めて操作キー３を操作して波形測定装置１に対して横矢印カーソル表示モードの設定を行った上で矢印カーソルを表示すべき旨の新たな指示を行うと、図５に示す処理が再度開始される。そして、カーソル表示部２３により、対象チャネルについての横解像度及び横オフセットが取得され（ステップＳ１１）、その後にユーザによってなされた指示が矢印カーソルを新規に作成する旨の指示であるか否かが判断される（ステップＳ１２）。
【００５４】
ここで、ユーザによってなされた指示が矢印カーソルを新規に作成する旨の指示でない場合には、ステップＳ１２の判断結果が「ＮＯ」となり、先に保持している矢印カーソルの端部位置Ｘ１，Ｘ２及び縦表示位置Ｙがカーソル表示部２３に取得される（ステップＳ２１）。次いで、ステップＳ２１で取得された矢印カーソルの端部位置Ｘ１，Ｘ２とステップＳ１１で取得された横解像度及び横オフセットとを用いてカーソル表示部２３により矢印カーソルの長さ（カーソル情報）が算出される（ステップＳ１５）。
【００５５】
以上の処理が終了すると、カーソル表示部２３の制御の下で、例えば図３（ａ）に示す通り、縦カーソルＣ１１，Ｃ１２の間であって波形ＷＦ１の最大ピーク値及び最小ピーク値で規定される範囲外に、矢印カーソルＣ１とカーソル情報ＩＦ１が表示される（ステップＳ１６）。矢印カーソル及びカーソル情報の表示が行われた後は、前述した処理と同様の処理（ステップＳ１７〜Ｓ２０）が行われる。以上、ユーザが矢印カーソルを新規に作成する旨の指示を行って図５に示す処理を繰り返すことで、複数の縦カーソルＣ１１，Ｃ１２及び矢印カーソルＣ１の表示を行うことができる。
【００５６】
以上の通り、本実施形では、表示部２０の表示画面Ｗ１に表示される波形ＷＦ１に付随して、表示画面Ｗ１の横方向の異なる２点間（縦カーソルＣ１１，Ｃ１２間）を指し示す矢印カーソルＣ１と、この矢印カーソルＣ１に対応付けられて矢印カーソルＣ１によって指し示される２点間の物理量（時間間隔）を示すカーソル情報ＩＦ１とを表示している。しかも、ユーザの操作による縦カーソルＣ１１，Ｃ１２の位置変更に連動して、矢印カーソルＣ１が伸縮するとともにカーソル情報ＩＦ１の内容が更新される。このため、ユーザが矢印カーソルで指し示される異なる２点間に関する物理情報を瞬時に且つ直感的に把握することができ、これによりユーザの利便性が高められる。
【００５７】
尚、以上の説明では、縦カーソルＣ１１，Ｃ１２に加えて表示画面Ｗ１の横方向に延びる矢印カーソルＣ１及びカーソル情報ＩＦ１を表示する場合について説明したが、横カーソルＣ２１，Ｃ２２に加えて表示画面Ｗ１の縦方向に延びる矢印カーソル及びカーソル情報を表示する場合についても図５に示す処理と同様の処理にて表示が可能である。また、以上の説明では、操作部１７に設けられた回転ノブを操作して矢印カーソル等の表示の更新を行う例について説明したが、マウスを用いた操作の場合も、図５に示す処理とほぼ同じ処理にて矢印カーソル等の表示・更新が可能である。
【００５８】
図６は、マウスを用いた矢印カーソルの操作を説明するための図である。マウスを用いて操作を行う場合であっても、マウスを使用しない場合と同様に、波形測定装置１を用いた被測定信号の測定に先だって各種初期設定が行われる。尚、ここでは、横矢印カーソル表示モードの設定が行われたものとする。但し、横矢印カーソル表示モードの設定が行われても、マウスを用いる場合には図３（ａ）に示す縦カーソルＣ１１，１２の表示は行われない。
【００５９】
初期設定が完了して、ユーザが波形測定装置１に設けられた入力端子部２の入力端子２ａ〜２ｅの少なくとも１つに接続されたプローブの先端を被測定部に電気的に接続させることにより波形データの取り込みが開始され、これにより前述した実施形態と同様に、被測定信号の波形を示す波形がディスプレイ４に表示される。ここでは、図６（ａ）に示す波形ＷＦ２が表示されるものとする。
【００６０】
ここで、マウスポインタＰ１がディスプレイ４内の任意の位置に配置されている状態で、ユーザがマウスに対してダブルクリック操作又はドラッグ・アンド・ドロップ操作をすると、ディスプレイ４内におけるユーザの所望の位置に矢印カーソルＣ２が表示されるとともに、矢印カーソルＣ２の近傍にその長さに応じたカーソル情報ＩＦ２が表示される。図６（ａ）に示す例では、カーソル情報として「１．４ｍｓ」が表示されている。尚、矢印カーソルＣ２の初期状態における長さは予め固定値を設定しておいても良く、或いは横解像度等に応じて可変させても良い。
【００６１】
次いで、ユーザがマウスを操作してマウスポインタＰ１を矢印カーソルＣ２の何れか一方の端部に配置すると、マウスポインタＰ１の形状が変化する。図６（ｂ）に示す例では、矢印カーソルＣ２の右端部に配置され、両端部に矢印が付されて横方向に延びる矢印形状に変化たマウスポインタＰ１を図示している。マウスポインタＰ１の形状が変化した状態で、ユーザがマウスに対してドラッグ操作をすると、ユーザの操作に応じて矢印カーソルＣ２が伸縮するとともにカーソル情報ＩＦ２の内容が変更される。
【００６２】
そして、ユーザがマウスに対してドロップ操作をすると、図６（ｃ）に示す通り、矢印カーソルＣ２の右端部の位置はドロップ操作がなされた時点におけるマウスポインタＰ１の表示位置に確定される。また、カーソル情報ＩＦ２の値は、位置が確定されたときの矢印カーソルＣ２の長さに確定される。かかるドロップ操作がなされると、マウスカーソルＰ１の形状は元の形状に戻る。以上、ユーザがマウスに対してダブルクリック操作又はドラッグ・アンド・ドロップ操作し、上記の操作を繰り返すことで、複数の矢印カーソルの表示を行うことができる。
【００６３】
ここでは、横矢印カーソル表示モードに設定されているため、上記のドラッグ操作を行う場合において、図６（ｄ）に示す通り、ユーザがマウスに対して表示画面の斜め方向Ｄ１にマウスポインタＰ１を移動させる操作を行っても矢印カーソルＣ２の伸縮方向は横方向のみに規制される。同様に、縦矢印カーソル表示モードに設定された場合においては、矢印カーソルの伸縮方向は縦方向のみに規制される。つまり、図６（ｅ）に示す通り、ユーザがマウスに対して表示画面の斜め方向Ｄ２にマウスポインタＰ１を移動させる操作を行っても表示画面の縦方向に延びる矢印カーソルＣ３の伸縮方向は縦方向のみに規制される。
【００６４】
尚、以上の説明では、カーソル情報を矢印カーソルの近傍に表示することで、カーソル情報と矢印カーソルとを対応付ける表示を行っていたが、カーソル情報と矢印カーソルとを対応付ける表示としてはこれ以外の表示方法を用いることも可能である。図７は、カーソル情報の他の表示例を示す図である。まず、図７（ａ）に示す通り、波形ＷＦに付随して縦方向に延びる矢印カーソルＣが表示されている場合を考える。かかる場合において、カーソル情報ＩＦを単純に矢印カーソルＣの近傍に表示したのでは、カーソル情報ＩＦが波形ＷＦと重なってカーソル情報ＩＦの視認性が悪くなる。
【００６５】
このため、波形ＷＦの波形解析を行って波形ＷＦの最大ピーク値及び最小ピーク値又は包絡線を求め、図７（ｂ）に示す通り、最大ピーク値及び最小ピーク値で規定される範囲又は包絡線で規定される範囲外にカーソル情報ＩＦを表示しても良い。かかる表示を行うと、矢印カーソルＣから離れた位置にカーソル情報ＩＦが表示されるため、矢印カーソルＣからカーソル情報ＩＦの表示位置に延びる引き出し線Ｌを表示することにより、カーソル情報と矢印カーソルとを対応付ける。
【００６６】
ここで、図７（ｂ）に示す表示を行うと、表示処理が複雑化し、また引き出し線Ｌを表示する必要があるために表示自体が見づらくなる虞が考えられる。このため、カーソル情報ＩＦを矢印Ｃの近傍に表示したときに波形ＷＦと重なる場合には、図７（ｃ）に示す通りカーソル情報ＩＦの背景を白抜き表示にするか、又は所定の背景色を付す表示を行っても良い。かかる表示を行うことで、表示処理の複雑化及びカーソル情報ＩＦの視認性の悪化を防止することができ、カーソル情報と矢印カーソルとの対応付けが損なわれることも無い。
【００６７】
また、前述した説明では、表示画面の横方向に延びてマウス操作時の伸縮方向が横方向に規制される矢印カーソルと、表示画面の縦方向に延びてマウス操作時の伸縮方向が縦方向に規制される矢印カーソルとを個別に表示する例について説明した。しかしながら、これらの矢印カーソルを組み合わせて、一度のマウス操作によって双方の伸縮を可能にしても良い。
【００６８】
図８は、縦方向に延びる矢印カーソル及び横方向に延びる矢印カーソルの組み合わせ例を示す図である。図８に示す通り、ユーザがマウスに対して表示画面の斜め方向Ｄ３にマウスポインタＰ１を移動させる操作を行うと、マウスポインタＰ１の横方向の移動分だけ矢印カーソルＣ４が伸縮するとともに、マウスポインタＰ１の縦方向の移動分だけ矢印カーソルＣ５が伸縮する。そして、矢印カーソルＣ４の伸縮に連動して矢印カーソルＣ４に対応するカーソル情報ＩＦ４の内容が更新され、矢印カーソルＣ５の伸縮に連動して矢印カーソルＣ５に対応するカーソル情報ＩＦ５の内容が更新される。
【００６９】
更に、前述した説明では、１つのチャネルから得られた波形に付随して矢印カーソル及びカーソル情報を表示する例について説明したが、複数のチャネルから得られた波形に対して矢印カーソル及びカーソル情報を表示しても良い。図９は、複数チャネルから得られた波形に対する矢印カーソル及びカーソル情報の表示例を示す図である。図９に示す例では、異なるチャネルの波形ＷＦ４，ＷＦ５が表示画面の縦方向に並べて表示されており、これら波形ＷＦ４，ＷＦ５の間に表示画面の縦方向に延びる矢印カーソルＣ６と矢印カーソルＣ６に対応するカーソル情報ＩＦ６とが表示される。また、矢印カーソルＣ６の一方の端部（上端部）は波形ＷＦ４に関連付けられ、矢印カーソルＣ６の他方の端部（下端部）は波形ＷＦ５に関連付けられている。
【００７０】
図９に示す通り、ユーザがマウスを操作して矢印カーソルＣ６を図中の方向Ｄ４にドラッグさせると、矢印カーソルＣ６の一方の端部（上端部）は、波形ＷＦ４に沿って移動し、矢印カーソルＣ６の他方の端部（下端部）は、波形ＷＦ５に沿って移動し、これにより矢印カーソルＣ６が連続的に伸縮する。また、矢印カーソルＣ６の伸縮に連動して、矢印カーソルＣ６に対応するカーソル情報ＩＦ６の値が更新される。かかる表示が行われることで、矢印カーソルＣ６の移動に対する矢印カーソルの長さの変化や測定値の変化の把握が容易になり、また、所望の測定値が得られる波形の位置の特定が容易になる。
【００７１】
更に、波形測定装置１は、表示部２０（ディスプレイ４）に表示される画像データを出力部１８から出力することが可能である。つまり、波形表示部２２で加工された波形データに対して矢印カーソル及びカーソル情報が付随した状態の画像データの出力が可能である。従来は、表示部２０（ディスプレイ４）に表示される波形の画像データの出力のみが可能であったため、波形測定装置１から得られた画像データをプレゼンテーションやレポートの資料等として活用する場合には、矢印や補助線等の注釈を付す必要があった。これに対し、波形測定装置１から出力される画像データは、波形データに対して矢印カーソル及びカーソル情報が付随されているため、そのまま資料等として活用することができるという利点がある。
【００７２】
以上、矢印カーソルにカーソル情報を対応付けて表示する場合の動作について詳細に説明したが、解析結果情報についても同様の処理によって矢印カーソルに対応付けることができる。具体的には、図５に示すフローチャートにおいて、ステップＳ１３の処理を省略するとともに、ステップＳ１５の処理において矢印カーソルの長さの算出に加えて波形解析部２１で解析処理を行い、ステップＳ１６の処理を「矢印カーソル及び解析結果情報を表示」する処理に代えれば、矢印カーソルに解析結果情報が対応付けられて表示される。この処理を繰り返すことで、図５に示す通り、複数の矢印カーソル及びカーソル情報を表示することができる。また、矢印カーソル及びカーソル情報を表示した後に、解析項目や解析範囲を再調整したい場合には、回転ノブの操作等によって再調整する矢印カーソルを特定した上で、図５に示すフローチャートを実行する。
【００７３】
また、操作部１７に設けられた回転ノブを操作して矢印カーソル等の表示の更新を行うのではなくマウスを用いた操作の場合には、図６に示した操作と同様の操作を行えば、矢印カーソル及び解析結果情報を更新することができる。ここで、矢印カーソル及び解析結果情報を表示する場合にも、ユーザがマウスに対して表示画面の斜め方向にマウスポインタを移動させる操作を行ったときには、図６（ｄ）を用いて説明した通り矢印カーソルの伸縮方向は横方向のみに規制しても良い。
【００７４】
また、解析結果情報が波形と重なる場合には、図７を用いて説明した場合と同様に、波形と重ならない位置に解析結果情報を表示するとともに矢印カーソルから解析結果情報の表示位置に延びる引き出し線を表示することにより解析結果情報と矢印カーソルとを対応付けてもよく、或いは解析結果情報の背景を白抜き表示等にしても良い。また、図４，図９に示す通り、複数のチャネルから波形が得られている場合には、それらの波形に共通する矢印カーソルを設定してもよい。かかる設定を行うことで、その矢印カーソルで規定される範囲内における複数の波形の最大値の差を求めるといった解析が可能になる。更に、解析結果情報を表示する場合にも、カーソル情報を表示する場合と同様に、表示部２０（ディスプレイ４）に表示される画像データを出力部１８から出力することが可能である。
【００７５】
ここで、上記実施形態では、解析結果情報を数値で表示する場合について説明したが、解析結果情報をグラフ表示しても良い。図１０は、解析結果情報のグラフ表示例を示す図である。図１０（ａ）に示す例では、ディジタル信号の波形ＷＦ２１の数周期に亘って矢印カーソルＣ６１が設定されており、この矢印カーソルＣ６１で規定される範囲内における波形ＷＦ２１をなす波形データのヒストグラムＧ１が矢印カーソルＣ６１に対応付けて表示されている。このヒストグラムＧ１を参照することで、ユーザは波形ＷＦ２１についての「Ｈ」レベルの電圧値及び「Ｌ」レベルの電圧値のバラツキを瞬時に且つ直感的に把握することができる。
【００７６】
また、図１０（ｂ）に示す例では、ディジタル信号の波形ＷＦ２２に対して矢印カーソルＣ６２が設定されており、この矢印カーソルＣ６２で規定される範囲内における波形ＷＦ２２の解析結果情報ＩＦ６２及びグラフＧ２が矢印カーソルＣ６２に対応付けて表示されている。解析結果情報ＩＦ６２としては、周期のバラツキの平均値（Ｍｅａｎ）及び標準偏差（σ）等が数値で表示されており、グラフＧ２としては、周期のバラツキの分布を示す分布図が表示されている。これら解析結果情報ＩＦ６２及びグラフＧ２を参照することで、ユーザは波形ＷＦ２２の周期のバラツキの傾向を瞬時に且つ直感的に把握することができる。
【００７７】
更に、図１０（ｃ）に示す例では、アナログ信号の過去の数周期に亘る波形を重ねた波形ＷＦ２３に対して矢印カーソルＣ６３が設定されており、この矢印カーソルＣ６３で規定される範囲内における波形ＷＦ２３の解析結果情報ＩＦ６３及びグラフＧ３が矢印カーソルＣ６３に対応付けて表示されている。解析結果情報ＩＦ６３としては、周波数のバラツキの平均値（Ｍｅａｎ）及び標準偏差（σ）等が数値で表示されており、グラフＧ３としては、周波数のバラツキの分布を示す分布図が表示されている。これら解析結果情報ＩＦ６３及びグラフＧ３を参照することで、ユーザは波形ＷＦ２３の周波数のバラツキの傾向を瞬時に且つ直感的に把握することができる。
【００７８】
以上、本発明の一実施形態による波形表示装置について説明したが、本発明は上記実施形態に制限されることなく、本発明の範囲内で自由に変更が可能である。例えば、上記実施形態では、本発明の波形表示装置が波形表示装置の一種であるオシロスコープに組み込まれた態様について説明した。しかしながら、本発明の波形表示装置は、波形測定装置で得られた波形データの解析を行う解析装置に組み込まれた態様も可能であり、更には、コンピュータに組み込まれる波形解析ツールとしても適用することが可能である。
【００７９】
また、上記実施形態では、両端が矢印とされた矢印カーソルを例に挙げて説明した。しかしながら、カーソル（線分カーソル）の両端部が矢印とされている必要は必ずしも無く、その形状は任意で良い。また、以上の説明では、波形解析部２１で行われる解析として、波形の最大値や最小値等を求める解析、及び信号の周期や周波数のバラツキを求める解析を例に挙げたが、本発明は以上の解析に限られる訳ではなく、任意の解析に対応が可能である。例えば、シリアルバスの解析を行うことも可能である。シリアルバスがＦｌｅｘＲａｙ（登録商標）である場合には、解析結果として、ＢＢＳ（Byte Start Sequence）時間間隔測定、ＢＳＳ−ＦＥＳ（Frame End Sequence）時間間隔等を解析結果情報として表示するこごができる。
【図面の簡単な説明】
【００８０】
【図１】本発明の一実施形態による波形表示装置を備える波形測定装置の正面図である。
【図２】本発明の一実施形態による波形表示装置を備える波形測定装置の要部構成を示すブロック図である。
【図３】矢印カーソル及びカーソル情報の表示例を示す図である。
【図４】矢印カーソル及び解析結果情報の表示例を示す図である。
【図５】波形測定装置１の矢印カーソル及びカーソル情報の表示に係る動作を示すフローチャートである。
【図６】マウスを用いた矢印カーソルの操作を説明するための図である。
【図７】カーソル情報の他の表示例を示す図である。
【図８】縦方向に延びる矢印カーソル及び横方向に延びる矢印カーソルの組み合わせ例を示す図である。
【図９】複数チャネルから得られた波形に対する矢印カーソル及びカーソル情報の表示例を示す図である。
【図１０】解析結果情報のグラフ表示例を示す図である。
【図１１】従来のカーソルの表示例を示す図であって、（ａ）は線状カーソルの表示例を示す図である。
【符号の説明】
【００８１】
１８                  出力部
２１                  波形解析部
２３                  カーソル表示部
Ｃ                    矢印カーソル
Ｃ１〜Ｃ６            矢印カーソル
Ｃ１１，Ｃ１２        矢印カーソル
Ｃ３０                矢印カーソル
Ｃ４０                矢印カーソル
Ｃ５０                矢印カーソル
Ｇ１                  ヒストグラム
Ｇ２，Ｇ３            グラフ
ＩＦ                  カーソル情報
ＩＦ１〜ＩＦ６        カーソル情報
ＩＦ１１，ＩＦ１２    カーソル情報
ＩＦ３０              解析結果情報
ＩＦ４０              解析結果情報
ＩＦ５０              解析結果情報
ＩＦ６２，ＩＦ６３    解析結果情報
Ｌ                    引き出し線
ＷＦ                  波形
ＷＦ１〜ＷＦ５        波形
ＷＦ１１，ＷＦ１２    波形
ＷＦ２１〜ＷＦ２３    波形
【図１】
2010002404.tif 000003
【図２】
2010002404.tif 000004
【図３】
2010002404.tif 000005
【図４】
2010002404.tif 000006
【図５】
2010002404.tif 000007
【図６】
2010002404.tif 000008
【図７】
2010002404.tif 000009
【図８】
2010002404.tif 000010
【図９】
2010002404.tif 000011
【図１０】
2010002404.tif 000012
【図１１】
2010002404.tif 000013